(57)【特許請求の範囲】
【請求項１】
光源から放射された光が入射せしめられる入射面と、前記入射面から入射せしめられた光を光源の主光軸線から離れる側に反射するための反射面とを備えたレンズを具備する照明装置において、
前記レンズの表面のうち、前記入射面と同じ側であって前記反射面とは反対側に、前記光源から放射された光を光源の主光軸線から離れる側に反射するための他の反射面を形成し、
前記反射面からの光が出射せしめられる出射面の法線と光源の主光軸線とがなす角度が光源の主光軸線周りの回転量に応じて変化するように前記出射面を形成したことを特徴とする照明装置。
【請求項２】
光源の主光軸線を中心として放射状に放射された光源からの光の少なくとも一部が集光せしめられるように、前記反射面または前記他の反射面を形成したことを特徴とする請求項１に記載の照明装置。
【発明の詳細な説明】
【技術分野】
【０００１】
本発明は、光源から放射された光が入射せしめられる入射面と、その入射面から入射せしめられた光を光源の主光軸線から離れる側に反射するための反射面とを備えたレンズを具備する照明装置に関し、特には、光源の主光軸線に対して直交する方向のレンズの寸法を小さくすることができる照明装置に関する。
【背景技術】
【０００２】
従来から、光源から放射された光が入射せしめられる入射面と、その入射面から入射せしめられた光を光源の主光軸線から離れる側に反射するための反射面とを備えたレンズを具備する照明装置（車両用灯具）が知られている。この種の照明装置（車両用灯具）の例としては、例えば特開２００５−１５８３６２号公報などに記載されたものがある。
【０００３】
特開２００５−１５８３６２号公報に記載された照明装置（車両用灯具）では、光源としてＬＥＤが用いられ、光源から放射された光が入射せしめられる入射面（導入部）と、その入射面（導入部）から入射せしめられた光を光源の主光軸線から離れる側に反射するための反射面（上第１反射面、下第１反射面）とを備えたレンズ（光導路）が設けられている。
【０００４】
詳細には、特開２００５−１５８３６２号公報に記載された照明装置（車両用灯具）では、例えばアクリル樹脂、ポリカーボネート樹脂などのような透明な樹脂材料によってレンズ（光導路）が形成されている。また、入射面（導入部）から入射せしめられた光が、反射面（上第１反射面、下第１反射面）によって、光源の主光軸線に対して直交する方向に反射せしめられている。
【０００５】
更に、特開２００５−１５８３６２号公報に記載された照明装置（車両用灯具）では、その反射面（上第１反射面、下第１反射面）からの光を光源の主光軸線方向（車両用灯具の照射方向）に反射するための反射面（上第２反射面、下第２反射面）が設けられている。
【０００６】
ところで、特開２００５−１５８３６２号公報に記載された照明装置（車両用灯具）では、レンズ（光導路）の表面のうち、光源とは反対側に配置された反射面（上第１反射面、下第１反射面）によって、光源からの光が光源の主光軸線から離れる側に反射せしめられている。つまり、レンズ（光導路）の表面のうち、光源から遠い側に配置された反射面（上第１反射面、下第１反射面）によって、光源からの光が光源の主光軸線から離れる側に反射せしめられている。
【０００７】
一方、特開２００５−１５８３６２号公報に記載された照明装置（車両用灯具）では、レンズ（光導路）の表面のうち、光源と同じ側には、光源からの光を光源の主光軸線から離れる側に反射するための反射面が形成されていない。つまり、レンズ（光導路）の表面のうち、光源に近い側には、光源からの光を光源の主光軸線から離れる側に反射するための反射面が形成されていない。
【０００８】
そのため、特開２００５−１５８３６２号公報に記載された照明装置（車両用灯具）では、光源の主光軸線に対して比較的大きい角度をなして光源から放射された光を光源の主光軸線から離れる側に反射しようとすると、レンズ（光導路）の表面のうち、光源から遠い側に配置された反射面（上第１反射面、下第１反射面）を大きくしなければならない。
【０００９】
つまり、特開２００５−１５８３６２号公報に記載された照明装置（車両用灯具）では、光源の主光軸線に対して比較的大きい角度をなして光源から放射された光を光源の主光軸線から離れる側に反射しようとすると、光源の主光軸線に対して直交する方向のレンズ（光導路）の寸法を大きくしなければならない。
【００１０】
【特許文献１】特開２００５−１５８３６２号公報
【発明の開示】
【発明が解決しようとする課題】
【００１１】
前記問題点に鑑み、本発明は、光源の主光軸線に対して直交する方向のレンズの寸法を小さくすることができる照明装置を提供することを目的とする。
【００１２】
詳細には、本発明は、光源の主光軸線に対して直交する方向のレンズの寸法を小さくしつつ、光源の主光軸線に対して比較的大きい角度をなして光源から放射された光を光源の主光軸線から離れる側に反射することができる照明装置を提供することを目的とする。
【００１３】
更に詳細には、本発明は、レンズの表面のうち、光源から放射された光が入射せしめられる入射面と同じ側に、光源から放射された光を光源の主光軸線から離れる側に反射するための反射面が形成されていない場合よりも、光源の主光軸線に対して直交する方向のレンズの寸法を小さくしつつ、光源の主光軸線に対して比較的大きい角度をなして光源から放射された光を光源の主光軸線から離れる側に反射することができる照明装置を提供することを目的とする。
【課題を解決するための手段】
【００１４】
請求項１に記載の発明によれば、光源から放射された光が入射せしめられる入射面と、前記入射面から入射せしめられた光を光源の主光軸線から離れる側に反射するための反射面とを備えたレンズを具備する照明装置において、
前記レンズの表面のうち、前記入射面と同じ側であって前記反射面とは反対側に、前記光源から放射された光を光源の主光軸線から離れる側に反射するための他の反射面を形成し、
前記反射面からの光が出射せしめられる出射面の法線と光源の主光軸線とがなす角度が光源の主光軸線周りの回転量に応じて変化するように前記出射面を形成したことを特徴とする照明装置が提供される。
【００１５】
請求項２に記載の発明によれば、光源の主光軸線を中心として放射状に放射された光源からの光の少なくとも一部が集光せしめられるように、前記反射面または前記他の反射面を形成したことを特徴とする請求項１に記載の照明装置が提供される。
【発明の効果】
【００１７】
請求項１に記載の照明装置では、レンズの表面のうち、光源から放射された光が入射せしめられる入射面と同じ側であって、入射面から入射せしめられた光を光源の主光軸線から離れる側に反射するための反射面とは反対側に、光源から放射された光を光源の主光軸線から離れる側に反射するための他の反射面が形成されている。
【００１８】
そのため、請求項１に記載の照明装置によれば、レンズの表面のうち、光源から放射された光が入射せしめられる入射面と同じ側に、光源から放射された光を光源の主光軸線から離れる側に反射するための反射面が形成されていない場合よりも、光源の主光軸線に対して直交する方向のレンズの寸法を小さくすることができる。
【００１９】
つまり、請求項１に記載の照明装置によれば、光源の主光軸線に対して直交する方向のレンズの寸法を小さくしつつ、光源の主光軸線に対して比較的大きい角度をなして光源から放射された光を光源の主光軸線から離れる側に反射することができる。
【００２０】
請求項１に記載の照明装置では、入射面から入射せしめられた光を光源の主光軸線から離れる側に反射する反射面からの光が出射せしめられる出射面の法線と光源の主光軸線とがなす角度が光源の主光軸線周りの回転量に応じて変化するように出射面が形成されている。
【００２１】
つまり、請求項１に記載の照明装置では、出射面が円筒面によって構成され、出射面の法線と光源の主光軸線とがなす角度が９０°になるのではなく、出射面の法線と光源の主光軸線とがなす角度が光源の主光軸線周りの回転量に応じて変化するように出射面が形成されている。好ましくは、円筒面の一部と、レンズカット部とを組み合わせることにより、出射面が構成されている。
【００２２】
そのため、請求項１に記載の照明装置によれば、出射面から出射せしめられる光を光源の主光軸線周りの回転量に応じて不均一にすることができる。つまり、出射面から出射せしめられる光をレンズの周方向に不均一にすることができる。
【００２３】
請求項２に記載の照明装置では、光源の主光軸線を中心として放射状に放射された光源からの光の少なくとも一部が集光せしめられるように、入射面から入射せしめられた光を光源の主光軸線から離れる側に反射するための反射面、または、光源から放射された光を光源の主光軸線から離れる側に反射するための他の反射面が形成されている。
【００２４】
つまり、請求項２に記載の照明装置では、光源の主光軸線を中心に所定の曲線を回転させることにより得られる面によって、入射面から入射せしめられた光を光源の主光軸線から離れる側に反射するための反射面、または、光源から放射された光を光源の主光軸線から離れる側に反射するための他の反射面が形成されるのではなく、光源の主光軸線を中心として放射状に放射された光源からの光の少なくとも一部が集光せしめられるように、入射面から入射せしめられた光を光源の主光軸線から離れる側に反射するための反射面、または、光源から放射された光を光源の主光軸線から離れる側に反射するための他の反射面が形成されている。
【００２５】
そのため、請求項２に記載の照明装置によれば、入射面から入射せしめられた光を光源の主光軸線から離れる側に反射するための反射面からの光、あるいは、光源から放射された光を光源の主光軸線から離れる側に反射するための他の反射面からの光を光源の主光軸線周りの回転量に応じて不均一にすることができる。
【００２６】
つまり、請求項２に記載の照明装置によれば、入射面から入射せしめられた光を光源の主光軸線から離れる側に反射するための反射面からの光、あるいは、光源から放射された光を光源の主光軸線から離れる側に反射するための他の反射面からの光をレンズの周方向に不均一にすることができる。
【発明を実施するための最良の形態】
【００２７】
以下、本発明の照明装置の第１の実施形態について説明する。図１は第１の実施形態の照明装置を示した図である。詳細には、図１（Ａ）は第１の実施形態の照明装置の平面図、図１（Ｂ）は第１の実施形態の照明装置の正面図、図１（Ｃ）は図１（Ａ）のＡ−Ａ断面図、図１（Ｄ）は第１の実施形態の照明装置の光路図である。
【００２８】
図１において、１は例えばＬＥＤのような光源を示しており、１Ｌは光源１の主光軸線を示しており、２はレンズを示している。２ａはレンズ２の表面の一部を構成する面であって、光源１から放射された光が入射せしめられる入射面を示している。
【００２９】
第１の実施形態の照明装置では、図１（Ｃ）に示すように、例えば球面によって入射面２ａが構成され、その球面の中心あるいはその近傍に光源１が配置されているが、第２の実施形態の照明装置では、代わりに、例えば平面のような球面以外の面によって入射面２ａを構成することも可能である。
【００３０】
また、図１において、２ｂはレンズ２の表面の一部を構成する面であって、入射面２ａから入射せしめられた光を光源１の主光軸線１Ｌから離れる側に反射するための反射面を示している。
【００３１】
第１の実施形態の照明装置では、図１（Ｄ）に示すように、光源１から放射された光のうち、光源１の主光軸線１Ｌに対してθ１以下の比較的小さい角度をなして光源１から放射された光が、反射面２ｂによって、光源１の主光軸線１Ｌから離れる側（図１（Ｄ）の左側および右側）に反射せしめられる。
【００３２】
詳細には、第１の実施形態の照明装置では、図１（Ｄ）に示すように、光源１から放射された光のうち、光源１の主光軸線１Ｌに対してθ１以下の比較的小さい角度をなして光源１から放射された光が、反射面２ｂによって、光源１の主光軸線１Ｌに対して略直交する向き（図１（Ｄ）の左向きおよび右向き）に反射せしめられているが、第３の実施形態の照明装置では、代わりに、光源１から放射された光のうち、光源１の主光軸線１Ｌに対してθ１以下の比較的小さい角度をなして光源１から放射された光が、反射面２ｂによって図１（Ｄ）の左上向きおよび右上向きに反射せしめられるように、反射面２ｂを形成することも可能である。
【００３３】
あるいは、第４の実施形態の照明装置では、代わりに、光源１から放射された光のうち、光源１の主光軸線１Ｌに対してθ１以下の比較的小さい角度をなして光源１から放射された光が、反射面２ｂによって図１（Ｄ）の左下向きおよび右下向きに反射せしめられるように、反射面２ｂを形成することも可能である。
【００３４】
更に、第１の実施形態の照明装置では、図１（Ｄ）に示すように、光源１の主光軸線１Ｌを中心に放物線を回転させることにより得られた回転放物面によって反射面２ｂが構成され、その放物線の焦点上、あるいは、その近傍に光源１が配置されているが、第５の実施形態の照明装置では、代わりに、例えば光源１の主光軸線１Ｌを中心に直線を回転させることにより得られた円錐面などのような自由曲面によって、つまり、回転放物面以外の面によって、反射面２ｂを構成することも可能である。
【００３５】
また、図１において、２ｃはレンズ２の表面の一部を構成する面であって、光源１から放射された光を光源１の主光軸線１Ｌから離れる側に反射するために、入射面２ａと同じ側（図１（Ｃ）の下側）であって反射面２ｂとは反対側（図１（Ｃ）の下側）に形成された反射面を示している。
【００３６】
第１の実施形態の照明装置では、反射面２ｃに例えばアルミ蒸着が施されているが、第６の実施形態の照明装置では、代わりに、光源１からの光が反射面２ｃによって全反射せしめられるように、反射面２ｃに入射する光の入射角を設定すると共に、反射面２ｃにアルミ蒸着を施さないことも可能である。
【００３７】
第１の実施形態の照明装置では、図１（Ｄ）に示すように、光源１から放射された光のうち、光源１の主光軸線１Ｌに対してθ１以上θ２以下の比較的大きい角度をなして光源１から放射された光が、反射面２ｃによって、光源１の主光軸線１Ｌから離れる側（図１（Ｄ）の左側および右側）に反射せしめられる。
【００３８】
詳細には、第１の実施形態の照明装置では、図１（Ｄ）に示すように、光源１から放射された光のうち、光源１の主光軸線１Ｌに対してθ１以上θ２以下の比較的大きい角度をなして光源１から放射された光が、反射面２ｃによって、光源１の主光軸線１Ｌに対して略直交する向き（図１（Ｄ）の左向きおよび右向き）に反射せしめられているが、第７の実施形態の照明装置では、代わりに、光源１から放射された光のうち、光源１の主光軸線１Ｌに対してθ１以上θ２以下の比較的大きい角度をなして光源１から放射された光が、反射面２ｃによって図１（Ｄ）の左上向きおよび右上向きに反射せしめられるように、反射面２ｃを形成することも可能である。
【００３９】
あるいは、第８の実施形態の照明装置では、代わりに、光源１から放射された光のうち、光源１の主光軸線１Ｌに対してθ１以上θ２以下の比較的大きい角度をなして光源１から放射された光が、反射面２ｃによって図１（Ｄ）の左下向きおよび右下向きに反射せしめられるように、反射面２ｃを形成することも可能である。
【００４０】
更に、第１の実施形態の照明装置では、図１（Ｄ）に示すように、光源１の主光軸線１Ｌを中心に放物線を回転させることにより得られた回転放物面によって反射面２ｃが構成され、その放物線の焦点上、あるいは、その近傍に光源１が配置されているが、第９の実施形態の照明装置では、代わりに、例えば光源１の主光軸線１Ｌを中心に直線を回転させることにより得られた円錐面などのような自由曲面によって、つまり、回転放物面以外の面によって、反射面２ｃを構成することも可能である。
【００４１】
また、図１において、２ｄはレンズ２の表面の一部を構成する面であって、反射面２ｂによって反射せしめられた光を光源１の主光軸線１Ｌから離れる側に出射するための出射面を示している。
【００４２】
第１の実施形態の照明装置では、図１に示すように、例えば光源１の主光軸線１Ｌを中心とする円筒面によって出射面２ｄが構成されているが、第１０の実施形態の照明装置では、代わりに、例えば図１（Ｃ）の上側に頂点を有する円錐の円錐面によって出射面２ｄを構成することも可能である。
【００４３】
光源１の主光軸線１Ｌを中心とする円筒面によって出射面２ｄが構成されている第１の実施形態の照明装置では、図１（Ｄ）に示すように、反射面２ｂからの光が、出射面２ｄにおいて屈折せしめられることなく、そのまま出射面２ｄを通過せしめられ、光源１の主光軸線１Ｌに対して略直交する向き（図１（Ｄ）の左向きおよび右向き）に出射せしめられる。一方、図１（Ｃ）の上側に頂点を有する円錐の円錐面によって出射面２ｄが構成されている第１０の実施形態の照明装置では、反射面２ｂからの光が、出射面２ｄにおいて屈折せしめられ、図１（Ｄ）の左下向きおよび右下向きに出射せしめられる。
【００４４】
あるいは、第１１の実施形態の照明装置では、代わりに、例えば図１（Ｃ）の下側に頂点を有する円錐の円錐面によって出射面２ｄを構成することも可能である。図１（Ｃ）の下側に頂点を有する円錐の円錐面によって出射面２ｄが構成されている第１１の実施形態の照明装置では、反射面２ｂからの光が、出射面２ｄにおいて屈折せしめられ、図１（Ｄ）の左上向きおよび右上向きに出射せしめられる。
【００４５】
すなわち、第１の実施形態の照明装置では、図１（Ｃ）および図１（Ｄ）に示すように、レンズ２の表面のうち、入射面２ａと同じ側（図１（Ｃ）および図１（Ｄ）の下側）であって、反射面２ｂとは反対側（図１（Ｃ）および図１（Ｄ）の下側）に、光源１から放射された光を光源１の主光軸線１Ｌから離れる側（図１（Ｄ）の左側および右側）に反射するための反射面２ｃが形成されている。
【００４６】
そのため、第１の実施形態の照明装置によれば、レンズ２の表面のうち、入射面２ａと同じ側（図１（Ｃ）および図１（Ｄ）の下側）に反射面２ｃが形成されていない場合よりも、光源１の主光軸線１Ｌに対して直交する方向のレンズ２の寸法Ｄ１を小さくすることができる。
【００４７】
具体的には、第１の実施形態の照明装置では、図１（Ｃ）および図１（Ｄ）に示すように、反射面２ｃが形成されているため、光源１の主光軸線１Ｌに対して直交する方向のレンズ２の寸法Ｄ１を小さくしつつ、光源１の主光軸線１Ｌに対してθ１以上θ２以下の比較的大きい角度をなして光源１から放射された光を光源１の主光軸線１Ｌから離れる側（図１（Ｄ）の左側および右側）に反射することができる。
【００４８】
一方、反射面２ｃが形成されていない場合には、図１（Ｄ）に示すように、光源１の主光軸線１Ｌに対してθ１以上θ２以下の比較的大きい角度をなして光源１から放射された光（図１（Ｄ）中の２点鎖線）を光源１の主光軸線１Ｌから離れる側（図１（Ｄ）の左側および右側）に反射しようとすると、反射面２ｂを延長して反射面２ｂ’を形成しなければならず、その結果、光源１の主光軸線１Ｌに対して直交する方向のレンズ２の寸法Ｄ２（＞Ｄ１）が大きくなってしまう。
【００４９】
また、反射面２ｃが形成されていない場合には、図１（Ｄ）に示すように、光源１の主光軸線１Ｌに対して直交する方向のレンズ２の寸法Ｄ１（＜Ｄ２）を小さくしようとすると、光源１の主光軸線１Ｌに対してθ１以上θ２以下の比較的大きい角度をなして光源１から放射された光（図１（Ｄ）中の２点鎖線）を光源１の主光軸線１Ｌから離れる側（図１（Ｄ）の左側および右側）に反射することができない。
【００５０】
つまり、反射面２ｃが形成されていない場合には、光源１の主光軸線１Ｌに対して直交する方向のレンズ２の寸法Ｄ１（＜Ｄ２）を小さくしつつ、光源１の主光軸線１Ｌに対してθ１以上θ２以下の比較的大きい角度をなして光源１から放射された光を光源１の主光軸線１Ｌから離れる側（図１（Ｄ）の左側および右側）に反射することができない。
【００５１】
それに対し、第１の実施形態の照明装置によれば、上述したように、光源１の主光軸線１Ｌに対して直交する方向のレンズ２の寸法Ｄ１（＜Ｄ２）を小さくしつつ、光源１の主光軸線１Ｌに対してθ１以上θ２以下の比較的大きい角度をなして光源１から放射された光を光源１の主光軸線１Ｌから離れる側（図１（Ｄ）の左側および右側）に反射することができる。
【００５２】
以下、本発明の照明装置の第１２の実施形態について説明する。第１２の実施形態の照明装置は、後述する点を除き、上述した第１の実施形態の照明装置とほぼ同様に構成されている。従って、第１２の実施形態の照明装置によれば、後述する点を除き、上述した第１の実施形態の照明装置とほぼ同様の効果を奏することができる。
【００５３】
図２は第１２の実施形態の照明装置を示した図である。詳細には、図２（Ａ）は第１２の実施形態の照明装置の平面図、図２（Ｂ）は図２（Ａ）のＢ−Ｂ断面図、図２（Ｃ）は第１２の実施形態の照明装置の光路図である。
【００５４】
図２において、３はレンズ２からの光を光源１の主光軸線１Ｌの方向に反射するためのリフレクタを示している。３ａはレンズ２の反射面２ｂからの光を光源１の主光軸線１Ｌの方向（図２（Ｃ）の上向き）に反射するための反射面を示しており、３ｂはレンズ２の反射面２ｃからの光を光源１の主光軸線１Ｌの方向（図２（Ｃ）の上向き）に反射するための反射面を示している。
【００５５】
第１２の実施形態の照明装置では、図２（Ｃ）に示すように、レンズ２の反射面２ｂによって図２（Ｃ）の左向きに反射せしめられた光が、リフレクタ３の反射面３ａによって図２（Ｃ）の上向きに反射せしめられ、レンズ２の反射面２ｂによって図２（Ｃ）の右向きに反射せしめられた光が、リフレクタ３の反射面３ａによって図２（Ｃ）の上向きに反射せしめられているが、第１３の実施形態の照明装置では、代わりに、レンズ２の反射面２ｂによって図２（Ｃ）の左向きに反射せしめられた光が、リフレクタ３の反射面３ａによって図２（Ｃ）の左上向きに反射せしめられ、レンズ２の反射面２ｂによって図２（Ｃ）の右向きに反射せしめられた光が、リフレクタ３の反射面３ａによって図２（Ｃ）の右上向きに反射せしめられるように、リフレクタ３の反射面３ａを構成することも可能である。
【００５６】
また、第１２の実施形態の照明装置では、図２（Ｃ）に示すように、レンズ２の反射面２ｃによって図２（Ｃ）の左向きに反射せしめられた光が、リフレクタ３の反射面３ｂによって図２（Ｃ）の上向きに反射せしめられ、レンズ２の反射面２ｃによって図２（Ｃ）の右向きに反射せしめられた光が、リフレクタ３の反射面３ｂによって図２（Ｃ）の上向きに反射せしめられているが、第１４の実施形態の照明装置では、代わりに、レンズ２の反射面２ｃによって図２（Ｃ）の左向きに反射せしめられた光が、リフレクタ３の反射面３ｂによって図２（Ｃ）の左上向きに反射せしめられ、レンズ２の反射面２ｃによって図２（Ｃ）の右向きに反射せしめられた光が、リフレクタ３の反射面３ｂによって図２（Ｃ）の右上向きに反射せしめられるように、リフレクタ３の反射面３ｂを構成することも可能である。
【００５７】
更に、第１２の実施形態の照明装置では、図２（Ｃ）に示すように、レンズ２の反射面２ｃによって図２（Ｃ）の左向きに反射せしめられた光が、リフレクタ３の反射面３ｂによって図２（Ｃ）の上向きに反射せしめられ、レンズ２の反射面２ｃによって図２（Ｃ）の右向きに反射せしめられた光が、リフレクタ３の反射面３ｂによって図２（Ｃ）の上向きに反射せしめられているが、第１５の実施形態の照明装置では、代わりに、レンズ２の反射面２ｃによって図２（Ｃ）の左下向きに反射せしめられた光が、リフレクタ３の反射面３ｂによって図２（Ｃ）の上向きに反射せしめられ、レンズ２の反射面２ｃによって図２（Ｃ）の右下向きに反射せしめられた光が、リフレクタ３の反射面３ｂによって図２（Ｃ）の上向きに反射せしめられるように、レンズ２の反射面２ｃおよびリフレクタ３の反射面３ｂを構成することも可能である。
【００５８】
以下、本発明の照明装置の第１６の実施形態について説明する。第１６の実施形態の照明装置は、後述する点を除き、上述した第１の実施形態の照明装置とほぼ同様に構成されている。従って、第１６の実施形態の照明装置によれば、後述する点を除き、上述した第１の実施形態の照明装置とほぼ同様の効果を奏することができる。
【００５９】
図３は第１６の実施形態の照明装置を示した図である。詳細には、図３（Ａ）は第１６の実施形態の照明装置の平面図、図３（Ｂ）は図３（Ａ）のＣ−Ｃ断面図、図３（Ｃ）は第１６の実施形態の照明装置の光路図である。
【００６０】
第１の実施形態の照明装置では、図１に示すように、光源１の主光軸線１Ｌを中心とする円筒面によって出射面２ｄが構成され、図１（Ｄ）に示すように、反射面２ｂからの光が、出射面２ｄにおいて屈折せしめられることなく、そのまま出射面２ｄを通過せしめられ、光源１の主光軸線１Ｌに対して略直交する向き（図１（Ｄ）の左向きおよび右向き）に出射せしめられるが、第１６の実施形態の照明装置では、図３に示すように、図３（Ｂ）の上側に頂点を有する円錐の円錐面によって出射面２ｄが構成され、図３（Ｃ）に示すように、反射面２ｂからの光が、出射面２ｄにおいて屈折せしめられ、図３（Ｃ）の左下向きおよび右下向きに出射せしめられる。
【００６１】
更に、第１６の実施形態の照明装置では、図３に示すように、光源１から放射された光の一部が、レンズ２の反射面２ｂにも、反射面２ｃにも到達することなく、出射面２ｄに到達し得るように、出射面２ｄが構成されている。そのため、第１６の実施形態の照明装置では、図３（Ｃ）に示すように、光源１から放射された光の一部が、レンズ２の反射面２ｂにも、反射面２ｃにも到達することなく、出射面２ｄに到達し、出射面２ｄにおいて屈折せしめられて、図３（Ｃ）の左上向きおよび右上向きに出射せしめられる。
【００６２】
以下、本発明の照明装置の第１７の実施形態について説明する。第１７の実施形態の照明装置は、後述する点を除き、上述した第１の実施形態の照明装置とほぼ同様に構成されている。従って、第１７の実施形態の照明装置によれば、後述する点を除き、上述した第１の実施形態の照明装置とほぼ同様の効果を奏することができる。
【００６３】
図４および図５は第１７の実施形態の照明装置を示した図である。詳細には、図４（Ａ）は第１７の実施形態の照明装置の平面図、図４（Ｂ）は第１７の実施形態の照明装置の正面図、図４（Ｃ）は図４（Ａ）のＤ−Ｄ断面図、図５（Ａ）および図５（Ｂ）は第１７の実施形態の照明装置の光路図である。
【００６４】
第１の実施形態の照明装置では、図１に示すように、光源１の主光軸線１Ｌを中心とする円筒面によって構成された出射面２ｄが、光源１の主光軸線１Ｌのまわりの全周にわたって形成されているが、第１７の実施形態の照明装置では、図４および図５に示すように、光源１の主光軸線１Ｌを中心とする円筒面によって構成された出射面２ｄと、レンズカット部によって構成された出射面２ｄ’とが、光源１の主光軸線１Ｌのまわりに交互に配列されている。
【００６５】
換言すれば、第１７の実施形態の照明装置では、図４および図５に示すように、反射面２ｂからの光が出射せしめられる出射面２ｄ，２ｄ’の法線と光源１の主光軸線１Ｌとがなす角度が光源１の主光軸線１Ｌの周りの回転量θ（図４（Ａ）参照）に応じて変化するように出射面２ｄ，２ｄ’が形成されている。
【００６６】
つまり、第１の実施形態の照明装置では、図１に示すように、出射面２ｄが円筒面のみによって構成され、出射面２ｄ上の任意の位置において、出射面２ｄの法線と光源１の主光軸線１Ｌとがなす角度が９０°になるが、第１７の実施形態の照明装置では、図４および図５に示すように、出射面２ｄ，２ｄ’の法線と光源１の主光軸線１Ｌとがなす角度が光源１の主光軸線１Ｌの周りの回転量θ（図４（Ａ）参照）に応じて変化するように出射面２ｄ，２ｄ’が形成されている。
【００６７】
詳細には、第１７の実施形態の照明装置では、出射面２ｄの法線と光源１の主光軸線１Ｌとがなす角度が９０°になるのに対し、出射面２ｄ’の法線と光源１の主光軸線１Ｌとがなす角度が９０°にならないか、あるいは、出射面２ｄ’の法線と光源１の主光軸線１Ｌとがねじれの位置の関係になるように、出射面２ｄ，２ｄ’が構成されている。
【００６８】
そのため、第１７の実施形態の照明装置によれば、図５に示すように、出射面２ｄ，２ｄ’から出射せしめられる光を光源１の主光軸線１Ｌの周りの回転量θ（図４（Ａ）参照）に応じて不均一にすることができる。つまり、出射面２ｄ，２ｄ’から出射せしめられる光をレンズ２の周方向に不均一にすることができる。
【００６９】
具体的には、第１７の実施形態の照明装置によれば、図５に示すように、出射面２ｄからは、光源１の主光軸線１Ｌにほぼ直交する向きに放射状の光が出射せしめられ、出射面２ｄ’からは、光源１の主光軸線１Ｌに直交しない向きに散乱光が出射せしめられる。
【００７０】
第１７の実施形態の照明装置では、散乱光を出射するためのレンズカット部によって出射面２ｄ’が構成されているが、第１８の実施形態の照明装置では、代わりに、集光せしめられた光を出射するための凸レンズ部によって出射面２ｄ’を構成することも可能である。
【００７１】
以下、本発明の照明装置の第１９の実施形態について説明する。第１９の実施形態の照明装置は、後述する点を除き、上述した第１の実施形態の照明装置とほぼ同様に構成されている。従って、第１９の実施形態の照明装置によれば、後述する点を除き、上述した第１の実施形態の照明装置とほぼ同様の効果を奏することができる。
【００７２】
図６は第１９の実施形態の照明装置を示した図である。詳細には、図６（Ａ）は第１９の実施形態の照明装置の平面図、図６（Ｂ）は第１９の実施形態の照明装置の正面図、図６（Ｃ）および図６（Ｄ）は第１９の実施形態の照明装置の光路図である。
【００７３】
第１の実施形態の照明装置では、図１（Ｃ）に示すように、光源１の主光軸線１Ｌを中心に放物線を回転させることにより得られた回転放物面によって反射面２ｂが構成され、図１（Ｄ）に示すように、反射面２ｂからの光が、光源１の主光軸線１Ｌを中心として放射状に照射されているが、第１９の実施形態の照明装置では、図６（Ａ）および図６（Ｄ）に示すように、複数の放物線からなる８個の放物面２ｂ１，２ｂ２，２ｂ３，２ｂ４，２ｂ５，２ｂ６，２ｂ７，２ｂ８によって反射面２ｂが構成されている。
【００７４】
詳細には、第１９の実施形態の照明装置では、図６（Ｃ）および図６（Ｄ）に示すように、光源１から放射された光の一部が、放物面２ｂ１によって集光せしめられ、平行光となって照射される。また、光源１から放射された光の一部が、放物面２ｂ２によって集光せしめられ、平行光となって照射される。更に、光源１から放射された光の一部が、放物面２ｂ３によって集光せしめられ、平行光となって照射される。また、光源１から放射された光の一部が、放物面２ｂ４によって集光せしめられ、平行光となって照射される。更に、光源１から放射された光の一部が、放物面２ｂ５によって集光せしめられ、平行光となって照射される。また、光源１から放射された光の一部が、放物面２ｂ６によって集光せしめられ、平行光となって照射される。更に、光源１から放射された光の一部が、放物面２ｂ７によって集光せしめられ、平行光となって照射される。また、光源１から放射された光の一部が、放物面２ｂ８によって集光せしめられ、平行光となって照射される。
【００７５】
すなわち、第１９の実施形態の照明装置では、図６に示すように、光源１の主光軸線１Ｌを中心として放射状に放射された光源１からの光が放物面２ｂ１，２ｂ２，２ｂ３，２ｂ４，２ｂ５，２ｂ６，２ｂ７，２ｂ８によって集光せしめられるように反射面２ｂが形成されている。
【００７６】
つまり、第１の実施形態の照明装置では、図１に示すように、光源１の主光軸線１Ｌを中心に放物線を回転させることにより得られる回転放物面によって反射面２ｂが構成されているのに対し、第１９の実施形態の照明装置では、図６に示すように、光源１の主光軸線１Ｌを中心として放射状に放射された光源１からの光が集光せしめられるように、反射面２ｂが形成されている。
【００７７】
そのため、第１９の実施形態の照明装置によれば、図６（Ｃ）に示すように、反射面２ｂからの光を光源１の主光軸線１Ｌの周りの回転量θ（図４（Ａ）参照）に応じて不均一にすることができる。つまり、第１９の実施形態の照明装置によれば、図６（Ｃ）に示すように、反射面２ｂからの光をレンズ２の周方向に不均一にすることができる。
【００７８】
第１９の実施形態の照明装置では、図６（Ｂ）に示すように、光源１の主光軸線１Ｌを中心に放物線を回転させることにより得られる回転放物面によって反射面２ｃが構成されているが、第２０の実施形態の照明装置では、代わりに、反射面２ｂと同様に、光源１の主光軸線１Ｌを中心として放射状に放射された光源１からの光が集光せしめられるように反射面２ｃを形成することも可能である。
【００７９】
また、第１９の実施形態の照明装置では、図６（Ｃ）に示すように、複数の放物線からなる８個の放物面２ｂ１，２ｂ２，２ｂ３，２ｂ４，２ｂ５，２ｂ６，２ｂ７，２ｂ８によって反射面２ｂが構成されているが、第２１の実施形態の照明装置では、代わりに、例えば楕円弧のような放物線以外の線からなる例えば８個の面によって反射面２ｂを構成することも可能である。
【００８０】
更に、第１９の実施形態の照明装置では、図６（Ｃ）に示すように、放物面２ｂ１，２ｂ２，２ｂ３，２ｂ４，２ｂ５，２ｂ６，２ｂ７，２ｂ８からのそれぞれの光が平行光になるように反射面２ｂが形成されているが、第２２の実施形態の照明装置では、代わりに、反射面２ｂからの光が所定の点に集光せしめられるように反射面２ｂを形成することも可能である。
【００８１】
更に、第１９の実施形態の照明装置では、図６（Ｂ）に示すように、光源１の主光軸線１Ｌを中心とする円筒面によって出射面２ｄが構成されているが、第２３の実施形態の照明装置では、代わりに、光源１の主光軸線１Ｌを中心とする円筒面によって構成された出射面２ｄと、レンズカット部によって構成された出射面２ｄ’（図４参照）とを、光源１の主光軸線１Ｌのまわりに交互に配列することも可能である。あるいは、第２４の実施形態の照明装置では、代わりに、光源１の主光軸線１Ｌを中心とする円筒面によって構成された出射面２ｄと、集光せしめられた光を出射するための凸レンズ部によって構成された出射面とを、光源１の主光軸線１Ｌのまわりに交互に配列することも可能である。
【００８２】
第２５の実施形態では、上述した第１から第２４の実施形態を適宜組み合わせることも可能である。
【産業上の利用可能性】
【００８３】
本発明の照明装置は、例えば車両用灯具、例えばダウンライトなどのような一般照明灯具、遊技用灯具などに適用可能である。
【図面の簡単な説明】
【００８４】
【図１】第１の実施形態の照明装置を示した図である。
【図２】第１２の実施形態の照明装置を示した図である。
【図３】第１６の実施形態の照明装置を示した図である。
【図４】第１７の実施形態の照明装置を示した図である。
【図５】第１７の実施形態の照明装置を示した図である。
【図６】第１９の実施形態の照明装置を示した図である。
【符号の説明】
【００８５】
１          光源
２          レンズ
２ａ        入射面
２ｂ，２ｃ  反射面
２ｄ        出射面
【図１】
0004651105.tif 000002
【図２】
0004651105.tif 000003
【図３】
0004651105.tif 000004
【図４】
0004651105.tif 000005
【図５】
0004651105.tif 000006
【図６】
0004651105.tif 000007